(57)【特許請求の範囲】
【請求項１】
データ放送を再生可能な他の１または複数の機器に接続可能なテレビ放送受信装置であって、
テレビ放送およびデータ放送を受信する受信部と、
前記受信部により受信されたテレビ放送またはデータ放送を再生する再生部と、
前記データ放送の再生時に生成および更新されるデータを記憶する記憶部と、
データ放送に関するデータの取得のための機器を設定する設定部と、
前記再生部によるデータ放送の再生を指示する指示部と、
前記指示部によるデータ放送の再生の指示に応答して前記設定部により設定された機器にデータ放送に関するデータの送信要求を送信して前記データ放送に関するデータを受信し、受信された前記データ放送に関するデータを前記記憶部に記憶させるとともに前記再生部に前記データ放送の再生を開始させ、前記再生部によるデータ放送の再生が終了した場合に前記記憶部内の更新されたデータ放送に関するデータを前記設定された機器に送信する制御部とを備えた、テレビ放送受信装置。
【請求項２】
前記制御部は、前記指示部によるデータ放送の再生の指示に応答して前記設定部により設定された機器にデータ放送に関するデータの送信要求を送信した場合に、前記設定された機器からデータ放送に関するデータの使用の有無を示すフラグを受信し、前記フラグに応じて前記データ放送に関するデータの受信の可否を判断することを特徴とする請求項１記載のテレビ放送受信装置。
【請求項３】
データ放送を再生可能な他の１または複数の機器に接続可能なテレビ放送受信装置におけるテレビ放送受信方法であって、
テレビ放送およびデータ放送を受信するステップと、
データ放送に関するデータの取得のための機器を設定するステップと、
データ放送の再生を指示するステップと、
データ放送の再生の指示に応答して前記設定された機器にデータ放送に関するデータの送信要求を送信するステップと、
前記設定された機器からのデータ放送に関するデータを受信するステップと、
前記受信したデータ放送に関するデータを記憶するステップと、
前記データ放送を再生するとともに前記記憶されたデータ放送に関するデータを更新するステップと、
前記データ放送の再生が終了した場合に更新されたデータ放送に関するデータを前記設定された機器に送信するステップとを有する、テレビ放送受信方法。
【請求項４】
データ放送を再生可能な他の１または複数の機器に接続可能なテレビ放送受信装置において処理装置により実行可能なテレビ放送受信プログラムであって、
テレビ放送およびデータ放送を受信する処理と、
データ放送に関するデータの取得のための機器を設定する処理と、
データ放送の再生を指示する処理と、
データ放送の再生の指示に応答して前記設定された機器にデータ放送に関するデータの送信要求を送信する処理と、
前記設定された機器からのデータ放送に関するデータを受信する処理と、
前記受信したデータ放送に関するデータを記憶する処理と、
前記データ放送を再生するとともに前記記憶されたデータ放送に関するデータを更新する処理と、
前記データ放送の再生が終了した場合に更新されたデータ放送に関するデータを前記設定された機器に送信する処理とを前記処理装置に実行させる、テレビ放送受信プログラム。
【発明の詳細な説明】
【技術分野】
【０００１】
本発明は、データ放送を受信可能なテレビ放送受信装置、テレビ放送受信方法およびテレビ放送受信プログラムに関する。
【背景技術】
【０００２】
従来、ＢＳ（放送衛星）デジタルチューナを内蔵したブルーレイディスクレコーダと呼ばれるビデオ記録装置が提案されている（非特許文献１参照）。
【非特許文献１】“ソニー、世界初のブルーレイレコーダを４月１０日に発売”、［ｏｎｌｉｎｅ］、平成１５年３月３日、ＡＶＷａｔｃｈ、［平成１５年９月２８日検索］、インターネット＜ＵＲＬ：ｈｔｔｐ：／／ｗｗｗ．ｗａｔｃｈ．ｉｍｐｒｅｓｓ．ｃｏ．ｊｐ／ａｖ／ｄｏｃｓ／２００３０３０３／ｓｏｎｙ．ｈｔｍ＞
【発明の開示】
【発明が解決しようとする課題】
【０００３】
データ放送の受信が可能なテレビ受信機、外部チューナおよびビデオ記録装置等のテレビ放送受信装置は、デジタルチューナを備え、データ放送に必要なデータを記憶するＮＶＲＡＭ（不揮発性ランダムアクセスメモリ）を有する。データ放送の番組によっては、データ放送の再生時にデータが生成され、その生成されたデータがＮＶＲＡＭに記憶される。データ放送の再生に伴ってＮＶＲＡＭに記憶されたデータが更新される。同じ番組が次に再生されるときには、ＮＶＲＡＭに記憶されたデータが用いられる。
【０００４】
たとえば、毎週放送されているデータ放送のゲーム番組で獲得したゲームのポイントをＮＶＲＡＭにデータとして記憶し、次週の番組放送時にＮＶＲＡＭに記憶されたデータに基づいてポイントを更新することができる。すなわち、今週ゲーム番組で獲得したゲームのポイントを用いて次週のゲーム番組に参加することができる。
【０００５】
このような場合、データ放送の受信ごとに異なるテレビ放送受信装置でデータ放送の再生を行うと不都合が生じる。上記の例において、１週目はゲーム番組をテレビ受信機で視聴し、２週目はビデオ記録装置で視聴すると、１週目のゲーム番組の再生時にテレビ受信機のＮＶＲＡＭに記憶されたポイントを２週目のゲーム番組の再生時に利用することができない。
【０００６】
一般に、テレビ受信機、外部チューナおよびビデオ記録装置等のテレビ放送受信装置は、それらの装置間では互いにデータを共有する機能を有さない。テレビ放送受信装置のＮＶＲＡＭのデータは、不正利用を防止するためにコピーすることができないように構成されている。
【０００７】
したがって、使用者は、データ放送の同じ番組を常に同じテレビ放送受信装置で再生する必要がある。
【０００８】
１つの部屋内にテレビ受信機およびビデオ記録装置がある場合、使用者は、テレビ放送またはデータ放送をテレビ受信機およびビデオ記録装置のいずれで再生しているのかを認識しない場合も多い。このような場合、ＮＶＲＡＭに記憶されたデータを用いるデータ放送の番組を異なるテレビ放送受信装置で再生することがある。また、複数のテレビ放送受信装置が存在する場合、使用者はあるデータ放送の番組を以前どのテレビ放送受信装置で再生したかを覚えていない場合も多い。したがって、使用者は意図しないテレビ放送受信装置によりデータ放送を再生してしまう。その結果、データ放送の再生に前回のデータを利用することができない。
【課題を解決するための手段】
【０００９】
本発明の目的は、データ放送の再生時に意図しないデータを利用することが防止されたテレビ放送受信装置、テレビ放送受信方法およびテレビ放送受信プログラムを提供することである。
【００１０】
本発明の一局面に従うテレビ放送受信装置は、データ放送を再生可能な他の１または複数の機器に接続可能なテレビ放送受信装置であって、テレビ放送およびデータ放送を受信する受信部と、受信部により受信されたテレビ放送またはデータ放送を再生する再生部と、データ放送の再生時に生成および更新されるデータを記憶する記憶部と、データ放送に関するデータの取得のための機器を設定する設定部と、再生部によるデータ放送の再生を指示する指示部と、指示部によるデータ放送の再生の指示に応答して設定部により設定された機器にデータ放送に関するデータの送信要求を送信してデータ放送に関するデータを受信し、受信されたデータ放送に関するデータを記憶部に記憶させるとともに再生部にデータ放送の再生を開始させ、再生部によるデータ放送の再生が終了した場合に記憶部内の更新されたデータ放送に関するデータを設定された機器に送信する制御部とを備えるものである。
【００１１】
そのテレビ放送受信装置においては、受信部によりテレビ放送およびデータ放送が受信され、受信されたテレビ放送またはデータ放送が再生部により再生される。データ放送の再生時に生成および更新されるデータは記憶部に記憶される。
【００１２】
使用者は、設定部によりデータ放送に関するデータの取得のための機器を設定することができる。指示部によるデータ放送の再生の指示に応答して設定された機器にデータ放送に関するデータの送信要求が送信される。それにより、使用者が設定した機器からのデータを受信することができる。受信されたデータ放送に関するデータは記憶部に記憶されるとともに、再生部によるデータ放送の再生が開始される。この場合、使用者が設定した機器に記憶されるデータを利用してデータ放送を再生することができる。再生部によるデータ放送の再生が終了した場合に記憶部内の更新されたデータ放送に関するデータが設定された機器に送信される。
【００１３】
したがって、使用者がデータ放送の再生時に意図しないデータを利用することが防止される。
【００１４】
制御部は、指示部によるデータ放送の再生の指示に応答して設定部により設定された機器にデータ放送に関するデータの送信要求を送信した場合に、設定された機器からデータ放送に関するデータの使用の有無を示すフラグを受信し、フラグに応じてデータ放送に関するデータの受信の可否を判断してもよい。
【００１５】
制御部は、他の機器からデータ放送に関するデータの送信要求を受信した場合に、記憶部に記憶されるデータを他の機器に送信してもよい。
【００１６】
このテレビ放送受信装置がデータ放送に関するデータの取得のための機器に設定され、かつ使用者が他の機器によりデータ放送の再生を指示した場合に、他の機器からこのテレビ放送受信装置にデータ送信要求が送信される。その場合、記憶部に記憶されるデータが他の機器に送信され、他の機器によりデータ放送が再生される。したがって、使用者が意図したテレビ放送受信装置のデータを利用してデータ放送を再生することができる。
【００１７】
制御部は、他の機器からのデータの送信要求に応答して記憶部に記憶されるデータを他の機器に送信した場合に、記憶部を使用不可能に設定してもよい。
【００１８】
この場合、記憶部に記憶されるデータが複数の機器により使用されることが防止される。
【００１９】
制御部は、他の機器へのデータの送信後に他の機器からデータを受信した場合に、受信したデータを記憶部に書き込み、記憶部を使用可能に設定してもよい。
【００２０】
この場合、他の機器でデータ放送の再生に伴って更新されたデータが記憶部に書き込まれる。したがって、データ放送に関する最新のデータを保持することができる。
【００２１】
本発明の他の局面に従うテレビ放送受信方法は、データ放送を再生可能な他の１または複数の機器に接続可能なテレビ放送受信装置におけるテレビ放送受信方法であって、テレビ放送およびデータ放送を受信するステップと、データ放送に関するデータの取得のための機器を設定するステップと、データ放送の再生を指示するステップと、データ放送の再生の指示に応答して設定された機器にデータ放送に関するデータの送信要求を送信するステップと、設定された機器からのデータ放送に関するデータを受信するステップと、受信したデータ放送に関するデータを記憶するステップと、データ放送を再生するとともに記憶されたデータ放送に関するデータを更新するステップと、データ放送の再生が終了した場合に更新されたデータ放送に関するデータを設定された機器に送信するステップとを有するものである。
【００２２】
そのテレビ放送受信方法においては、テレビ放送およびデータ放送が受信され、受信されたテレビ放送またはデータ放送が再生される。データ放送の再生時に生成および更新されるデータは記憶される。
【００２３】
使用者は、データ放送に関するデータの取得のための機器を設定することができる。データ放送の再生の指示に応答して設定された機器にデータ放送に関するデータの送信要求が送信される。それにより、使用者が設定した機器からのデータを受信することができる。受信されたデータ放送に関するデータは記憶される。データ放送が再生されるとともに、記憶されたデータ放送に関するデータが更新される。この場合、使用者が設定した機器に記憶されるデータを利用してデータ放送を再生することができる。データ放送の再生が終了した場合に、更新されたデータ放送に関するデータは設定された機器に送信される。
【００２４】
したがって、使用者がデータ放送の再生時に意図しないデータを利用することが防止される。
【００２５】
本発明のさらに他の局面に従うテレビ放送受信プログラムは、データ放送を再生可能な他の１または複数の機器に接続可能なテレビ放送受信装置において処理装置により実行可能なテレビ放送受信プログラムであって、テレビ放送およびデータ放送を受信する処理と、データ放送に関するデータの取得のための機器を設定する処理と、データ放送の再生を指示する処理と、データ放送の再生の指示に応答して設定された機器にデータ放送に関するデータの送信要求を送信する処理と、設定された機器からのデータ放送に関するデータを受信する処理と、受信したデータ放送に関するデータを記憶する処理と、データ放送を再生するとともに記憶されたデータ放送に関するデータを更新する処理と、データ放送の再生が終了した場合に更新されたデータ放送に関するデータを設定された機器に送信する処理とを処理装置に実行させるものである。
【００２６】
そのテレビ放送受信プログラムにおいては、テレビ放送およびデータ放送が受信され、受信されたテレビ放送またはデータ放送が再生される。データ放送の再生時に生成および更新されるデータは記憶される。
【００２７】
使用者は、データ放送に関するデータの取得のための機器を設定することができる。データ放送の再生の指示に応答して設定された機器にデータ放送に関するデータの送信要求が送信される。それにより、使用者が設定した機器からのデータを受信することができる。受信されたデータ放送に関するデータは記憶される。データ放送が再生されるとともに、記憶されたデータ放送に関するデータが更新される。この場合、使用者が設定した機器に記憶されるデータを利用してデータ放送を再生することができる。データ放送の再生が終了した場合に、更新されたデータ放送に関するデータが設定された機器に送信される。
【００２８】
したがって、使用者がデータ放送の再生時に意図しないデータを利用することが防止される。
【発明の効果】
【００２９】
本発明によれば、使用者がデータ放送の再生時に意図しないデータを利用することが防止される。
【発明を実施するための最良の形態】
【００３０】
（１）システムの構成
図１は本発明の実施の形態に係るテレビ放送受信装置を用いたシステムの構成を示すブロック図である。
【００３１】
図１において、テレビ受信機１００、ビデオ記録装置２００およびビデオ記録装置３００がネットワーク５００を通して互いに接続されている。本実施の形態では、テレビ受信機１００、ビデオ記録装置２００およびビデオ記録装置３００の各々が通常のテレビ放送およびデータ放送を受信する機能を有するテレビ放送受信装置に相当する。
【００３２】
なお、テレビ受信機１００、ビデオ記録装置２００およびビデオ記録装置３００の各々を特定しない場合には、それらを単に機器と呼ぶ。
【００３３】
（２）第１の参考形態
図２は第１の参考形態に係るテレビ受信機１００およびビデオ記録装置２００の構成を示すブロック図である。
【００３４】
テレビ受信機１００は、アンテナ１０１、チューナ１０２、画像処理部１０３、ＣＰＵ（中央演算処理装置）１０４、ＲＯＭ（リードオンリメモリ）１０５、ＲＡＭ（ランダムアクセスメモリ）１０６、通信部１０７、ＮＶＲＡＭ（不揮発性ランダムアクセスメモリ）１０８、リモコン受光部１０９および表示部１１１を備える。また、テレビ受信機１００は、データ放送再生不能化部１２０を備える。データ放送再生不能化部１２０は、ＣＰＵ１０４およびテレビ放送受信プログラムにより実現されるが、ここでは、理解を容易にするために、データ放送再生不能化部１２０をＣＰＵ１０４とは別のブロックで示している。
【００３５】
なお、データ放送再生不能化部１２０をＣＰＵ１０４とは別の電子回路等のハードウエアにより実現してもよい。
【００３６】
チューナ１０２は、アンテナケーブルを介してアンテナ１０１に接続され、アンテナ１０１を通して通常のテレビ放送の信号（以下、テレビ放送信号と呼ぶ）およびデータ放送の信号（以下、データ放送信号と呼ぶ）を受信し、受信したテレビ放送信号およびデータ放送信号の選局を行う。
【００３７】
画像処理部１０３は、チューナ１０２により選局されたテレビ放送信号またはデータ放送信号を映像信号に変換する。表示部１１１は、画像処理部１０３から与えられる映像信号に基づいて映像を表示する。
【００３８】
ＲＯＭ１０５は、テレビ放送受信プログラムおよび各種データを記憶する。ＣＰＵ１０４は、ＲＯＭ１０５に記憶されたテレビ放送受信プログラムをＲＡＭ１０６上で実行する。
【００３９】
通信部１０７は、通信用ケーブルを通してネットワーク５００に接続され、他の機器と通信を行う。本参考形態では、通信部１０７は、ビデオ記録装置２００およびビデオ記録装置３００と通信を行う。
【００４０】
ＮＶＲＡＭ１０８は、テレビ放送信号およびデータ放送信号の受信に必要な情報を記憶する。また、ＮＶＲＡＭ１０８は、データ放送の再生を不能化するか否かを示す不能化フラグを記憶する。この不能化フラグは、予め使用者の操作により設定される。さらに、ＮＶＲＡＭ１０８は、データ放送の受信時に使用されるデータおよびデータ放送の受信時に生成および更新されるデータを記憶する。
【００４１】
以下、データ放送の受信時に使用されるデータおよびデータ放送の受信時に生成および更新されるデータをデータ放送関連データと呼ぶ。
【００４２】
データ放送再生不能化部１２０は、ＮＶＲＡＭ１０８に記憶される不能化フラグがオンに設定されている場合に、使用者からのデータ放送再生指示に対してデータ放送の再生を不能化する。
【００４３】
リモコン１１０は、テレビ放送の受信を指示するテレビ放送ボタン、データ放送の受信を指示するデータ放送ボタン、チャンネルを選択するチャンネルボタン等の各種スイッチを有する。使用者がリモコン１１０を操作することによりリモコン１１０からの光信号がリモコン受光部１０９により受光され、その光信号が電気信号に変換されてＣＰＵ１０４に与えられる。
【００４４】
ビデオ記録装置２００は、アンテナ２０１、チューナ２０２、画像処理部２０３、ＣＰＵ２０４、ＲＯＭ２０５、ＲＡＭ２０６、通信部２０７、ＮＶＲＡＭ２０８、リモコン受光部２０９および記録部２１１を備える。また、ビデオ記録装置２００は、データ放送再生不能化部２２０を備える。データ放送再生不能化部２２０は、ＣＰＵ２０４およびテレビ放送受信プログラムにより実現される。
【００４５】
なお、データ放送再生不能化部２２０をＣＰＵ２０４とは別の電子回路等のハードウエアにより実現してもよい。
【００４６】
ビデオ記録装置２００のチューナ２０２、画像処理部２０３、ＣＰＵ２０４、ＲＯＭ２０５、ＲＡＭ２０６、通信部２０７、ＮＶＲＡＭ２０８、リモコン受光部２０９、リモコン２１０およびデータ放送再生不能化部２２０の動作は、テレビ受信機１００のアンテナ１０１、チューナ１０２、画像処理部１０３、ＣＰＵ１０４、ＲＯＭ１０５、ＲＡＭ１０６、通信部１０７、ＮＶＲＡＭ１０８、リモコン受光部１０９、リモコン１１０およびデータ放送再生不能化部１２０の動作と同様である。記録部２１１は、画像処理部２０３から与えられる映像信号を記録する。
【００４７】
なお、ビデオ記録装置３００の構成および動作は、ビデオ記録装置２００の構成および動作と同様である。ビデオ記録装置２００およびビデオ記録装置３００の映像信号は、通信部２０７およびネットワーク５００を通してテレビ受信機１００に送信され、表示部１１１により表示される。
【００４８】
本参考形態では、テレビ受信機１００、ビデオ記録装置２００およびビデオ記録装置３００がデータ放送再生不能化部１２０，２２０を備えるが、テレビ受信機１００、ビデオ記録装置２００およびビデオ記録装置３００のうち１つまたは２つがデータ放送再生不能化部１２０，２２０を備えてもよい。
【００４９】
図３は第１の参考形態におけるデータ放送設定画面を示す図である。図３のデータ放送設定画面は、使用者によるリモコン１１０の操作により表示部１１１に表示される。
【００５０】
本参考形態では、使用者は、リモコン１１０を操作することによりデータ放送設定画面においてテレビ受信機１００によるデータ放送の再生のオンおよびオフを設定することができる。データ放送の再生をオンに設定すると、ＮＶＲＡＭ１０８に記憶される不能化フラグがオフに設定される。この場合、テレビ受信機１００によるデータ放送の再生が可能となる。データ放送の再生をオフに設定すると、ＮＶＲＡＭ１０８に記憶される不能化フラグがオンに設定される。この場合、テレビ受信機１００によるデータ放送の再生が不能化される。
【００５１】
同様に、使用者は、リモコン２１０を操作することによりデータ放送設定画面においてビデオ記録装置２００，３００によるデータ放送の再生のオンおよびオフを設定することができる。それにより、ＮＶＲＡＭ２０８に記憶される不能化フラグがオンまたはオフに設定される。
【００５２】
以下の説明では、使用者がテレビ受信機１００のリモコン１１０を操作する場合を説明する。
【００５３】
図４は第１の参考形態におけるテレビ受信機１００のデータ放送再生不能化部１２０の動作を示すフローチャートである。
【００５４】
リモコン１１０による操作を示す信号がリモコン受光部１０９を介してＣＰＵ１０４に入力される（ステップＳ１）。データ放送再生不能化部１２０は、入力された信号に基づいてデータ放送ボタンが押下されたか否かを判定する（ステップＳ２）。データ放送ボタンが押下されていない場合には、ステップＳ１に戻る。
【００５５】
データ放送ボタンが押下された場合には、データ放送再生不能化部１２０は、ＮＶＲＡＭ１０８に記憶される不能化フラグがオンに設定されているか否かを判定する（ステップＳ３）。
【００５６】
不能化フラグがオンに設定されていない場合には、データ放送再生不能化部１２０は、チューナ１０２および画像処理部１０３にデータ放送の再生を指示する（ステップＳ４）。この場合、チューナ１０２および画像処理部１０３は、ＮＶＲＡＭ１０８のデータ放送関連データを用いてデータ放送を再生し、表示部１１１にデータ放送を表示する。それにより、ＮＶＲＡＭ１０８のデータ放送関連データが更新される。
【００５７】
不能化フラグがオンに設定されている場合には、データ放送再生不能化部１２０は、チューナ１０２および画像処理部１０３によるデータ放送の再生を不能化し、表示部１１１に通知メッセージを表示する（ステップＳ５）。
【００５８】
図５は第１の参考形態における通知メッセージの一例を示す図である。
【００５９】
図５の例では、テレビ受信機１００によるデータ放送の再生が禁止されていることを示す通知メッセージが表示部１１１に表示される。それにより、使用者は、このテレビ受信機１００によりデータ放送の再生ができないことを認識することができる。この場合、リモコン１１０の操作により確認ボタンを選択することにより画面上の通知メッセージを消去し、通常のテレビ放送の画面に戻すことができる。
【００６０】
ビデオ記録装置２００，３００のデータ放送再生不能化部２２０の動作は、テレビ受信機１００のデータ放送再生不能化部１２０の動作と同様である。
【００６１】
使用者は、図３のデータ放送設定画面でテレビ受信機１００、ビデオ記録装置２００およびビデオ記録装置３００の不能化フラグを予めオンまたはオフに設定することにより、テレビ受信機１００、ビデオ記録装置２００およびビデオ記録装置３００のうち所望の機器を用いてデータ放送を再生することができる。
【００６２】
この場合、不能化フラグがオンに設定された機器で使用者がデータ放送を再生しようとすると、図５の通知メッセージが表示される。したがって、使用者が意図しない機器を用いてデータ放送を再生することが防止される。
【００６３】
本参考形態では、画面上の確認ボタンにより通知メッセージが消去されるが、リモコン１１０，２１０の任意の操作により通知メッセージが消去されてもよく、一定時間経過後に通知メッセージが消去されてもよい。また、不能化フラグがオンに設定されている場合に、データ放送再生不能化部１２０，２２０は、画面上に通知メッセージが表示される代わりに、画面に何も表示しないように画像処理部１０３，２０３を制御してもよい。
【００６４】
（３）第２の参考形態
次に、本発明の第２の参考形態について説明する。第２の参考形態に係るテレビ受信機１００およびビデオ記録装置２００，３００が第１の参考形態に係るテレビ受信機１００およびビデオ記録装置２００，３００と異なるのはデータ放送再生不能化部１２０，２２０の動作である。
【００６５】
本参考形態においては、使用者がリモコン１１０を操作することによりデータ放送の再生を指示した場合、テレビ受信機１００のデータ放送再生不能化部１２０は、後述する再生確認メッセージを表示部１１１の画面に表示する。この場合、後述する再生確認操作によりテレビ受信機１００によるデータ放送の再生が可能となる。
【００６６】
ビデオ記録装置２００，３００のデータ放送再生不能化部２２０の動作もテレビ受信機１００のデータ放送再生不能化部１２０の動作と同様である。
【００６７】
以下の説明では、使用者がテレビ受信機１００のリモコン１１０を操作する場合を説明する。
【００６８】
図６は第２の参考形態におけるテレビ受信機１００のデータ放送再生不能化部１２０の動作を示すフローチャートである。
【００６９】
リモコン１１０による操作を示す信号がリモコン受光部１０９を介してＣＰＵ１０４に入力される（ステップＳ１１）。ＣＰＵ１０４は、入力された信号に基づいてデータ放送ボタンが押下されたか否かを判定する（ステップＳ１２）。データ放送ボタンが押下されていない場合には、ステップＳ１１に戻る。
【００７０】
データ放送ボタンが押下された場合には、データ放送再生不能化部１２０は、表示部１１１に再生確認メッセージを表示する（ステップＳ１３）。そして、データ放送再生不能化部１２０は、リモコン１１０を用いて使用者により再生確認操作が行われたか否かを判定する（ステップＳ１４）。
【００７１】
再生確認操作が行われた場合には、データ放送再生不能化部１２０は、チューナ１０２および画像処理部１０３にデータ放送の再生を指示する（ステップＳ１５）。それにより、チューナ１０２および画像処理部１０３はデータ放送を再生し、表示部１１１にデータ放送を表示する。
【００７２】
図７は第２の参考形態における再生確認メッセージの一例を示す図である。
【００７３】
図７の例では、表示部１１１にテレビ受信機１００でデータ放送を再生するか否かを確認する再生確認メッセージが表示される。使用者がリモコン１１０の操作により「いいえ」を選択した場合には、データ放送再生不能化部１２０は、チューナ１０２および画像処理部１０３によるデータ放送の再生を不能化する。使用者がリモコン１１０の操作により「はい」を選択することによりチューナ１０２および画像処理部１０３によるデータ放送の再生が指示される。
【００７４】
図１のビデオ記録装置２００，３００のデータ放送再生不能化部２２０の動作は、テレビ受信機１００のデータ放送再生不能化部１２０の動作と同様である。
【００７５】
このように、使用者がテレビ受信機１００またはビデオ記録装置２００，３００でデータ放送を再生しようとすると、図７の再生確認メッセージが表示される。したがって、使用者が意図しない機器を用いてデータ放送を再生することが防止される。
【００７６】
（４）第３の参考形態
図８は第３の参考形態に係るテレビ受信機１００およびビデオ記録装置２００の構成を示すブロック図である。
【００７７】
図８のテレビ受信機１００が図２のテレビ受信機１００と異なるのは、データ放送再生不能化部１２０の代わりにデータ放送切換部１２１が設けられている点である。データ放送切換部１２１は、ＣＰＵ１０４およびテレビ放送受信プログラムにより実現される。
【００７８】
また、図８のビデオ記録装置２００が図２のビデオ記録装置２００と異なるのは、データ放送再生不能化部２２０の代わりにデータ放送切換部２２１が設けられている点である。データ放送切換部２２１は、ＣＰＵ２０４およびテレビ放送受信プログラムにより実現される。
【００７９】
テレビ受信機１００のデータ放送切換部１２１は、データ放送再生機器が他の機器に設定されている場合に、使用者からのデータ放送の再生指示に応答して通信部１０７を通して設定された機器にデータ放送の再生要求を送信する。
【００８０】
ビデオ記録装置２００，３００のデータ放送切換部２２１の動作は、テレビ受信機１００のデータ放送切換部１２１の動作と同様である。
【００８１】
本参考形態では、テレビ受信機１００、ビデオ記録装置２００およびビデオ記録装置３００がデータ放送切換部１２１または２２１を備えるが、テレビ受信機１００、ビデオ記録装置２００およびビデオ記録装置３００のうち１つまたは２つがデータ放送再生不能化部１２０，２２０を備えてもよい。
【００８２】
図９は第３の参考形態におけるデータ放送設定画面を示す図である。図９のデータ放送設定画面は、使用者によるリモコン１１０の操作により表示部１１１に表示される。
【００８３】
本参考形態では、使用者はリモコン１１０を操作することによりデータ放送設定画面においてデータ放送の再生を許容する機器としてデータ放送再生機器を設定することができる。ここで、図１に示すネットワーク５００に接続されるテレビ受信機１００、ビデオ記録装置２００およびビデオ記録装置３００には、それぞれ識別情報としてＩＰ（インターネットプロトコル）アドレスが割り当てられている。使用者がデータ放送再生機器を設定すると、設定された機器のＩＰアドレスがＮＶＲＡＭ１０８に記憶される。
【００８４】
以下の説明では、使用者がビデオ記録装置２００のリモコン２１０を操作する場合を説明する。また、データ放送再生機器がテレビ受信機１００に設定されているものとする。
【００８５】
図１０は第３の参考形態におけるビデオ記録装置２００のデータ放送切換部２２１の動作を示すフローチャートである。
【００８６】
リモコン２１０による操作を示す信号がリモコン受光部２０９を介してＣＰＵ２０４に入力される（ステップＳ２１）。ＣＰＵ２０４は、入力された信号に基づいてデータ放送ボタンが押下されたか否かを判定する（ステップＳ２２）。データ放送ボタンが押下されていない場合には、ステップＳ２１に戻る。
【００８７】
データ放送ボタンが押下された場合には、データ放送切換部２２１は、ＮＶＲＡＭ２０８に記憶されているＩＰアドレスに基づいてデータ放送再生機器が他の機器に設定されているか否かを判定する（ステップＳ２３）。
【００８８】
データ放送再生機器が他の機器に設定されている場合には、データ放送切換部２２１は、テレビ受信機１００の表示部１１１に切り換え確認メッセージを表示する（ステップＳ２４）。そして、データ放送切換部２２１は、リモコン２１０を用いて使用者により切り換え確認操作が行われたか否かを判定する（ステップＳ２５）。
【００８９】
切り換え確認操作が行われた場合には、通信部２０７を介して他の機器にデータ放送再生要求を送信する（ステップＳ２６）。ここで、データ放送再生要求は、データ放送の種類、データ放送のチャンネルおよびデータ放送の開始の指示信号を含む。それにより、他の機器によりデータ放送が再生され、テレビ受信機１００の表示部１１１にデータ放送が表示される。図９の例では、テレビ受信機１００によりデータ放送が再生される。それにより、テレビ受信機１００のＮＶＲＡＭ１０８に記憶されるデータ放送関連データが更新される。
【００９０】
ステップＳ２３においてデータ放送再生機器が当該機器（ビデオ記録装置２００）に設定されている場合には、データ放送切換部２２１は、チューナ２０２および画像処理部２０３にデータ放送の再生を指示する（ステップＳ２７）。それにより、チューナ２０２および画像処理部２０３がデータ放送を再生し、表示部１１１にデータ放送を表示する。
【００９１】
ステップＳ２２においてデータ放送ボタンが押下されない場合またはステップＳ２５において切り換え確認が行われない場合には、ステップＳ２１に戻る。
【００９２】
図１１は第３の参考形態における切り換え確認メッセージの一例を示す図である。
【００９３】
図１１の例では、ビデオ記録装置２００のリモコン２１０によりデータ放送の再生を指示した場合に、テレビ受信機１００でのデータ放送の再生に切り換えるか否かを確認する切り換え確認メッセージが表示される。使用者がリモコン２１０の操作により「はい」を選択した場合には、データ放送切換部２２１は、テレビ受信機１００にデータ放送の再生要求を送信する。使用者がリモコン２１０の操作により「いいえ」を選択した場合には、データ放送の再生は行われない。
【００９４】
図８のテレビ受信機１００のデータ放送切換部１２１の動作は、ビデオ記録装置２００のデータ放送切換部２２１の動作と同様である。
【００９５】
図１２は第３の参考形態におけるテレビ受信機１００のデータ放送切換部１２１の動作を示すフローチャートである。ここでは、データ放送再生機器がテレビ受信機１００に設定されているものとする。
【００９６】
データ放送切換部１２１は、通信部１０７を通して他の機器との通信を行い（ステップＳ３１）、他の機器からデータ放送再生要求を受信したか否かを判定する（ステップＳ３２）。
【００９７】
他の機器からデータ放送再生要求を受信した場合には、データ放送切換部１２１は、チューナ１０２により選局可能か否かを判定する（ステップＳ３３）。本例では、ビデオ記録装置２００からデータ放送再生要求を受信する。
【００９８】
選局が可能な場合には、データ放送切換部１２１は、データ放送再生要求に含まれるデータ放送の種類およびチャンネルに基づいてチューナ１０２により選局を行う（ステップＳ３４）。そして、データ放送切換部１２１は、チューナ１０２および画像処理部１０３によりデータ放送の再生を指示する（ステップＳ３５）。それにより、チューナ１０２および画像処理部１０３がデータ放送を再生し、表示部１１１のデータ放送を表示する。データ放送の再生に伴ってＮＶＲＡＭ１０８に記憶されるデータ放送関連データが更新される。
【００９９】
ステップＳ３２においてデータ放送再生要求を受信していない場合またはステップＳ３３において選局が可能でない場合には、ステップＳ３１に戻る。
【０１００】
このように、使用者がデータ放送再生機器として設定された機器以外の機器でデータ放送を再生しようとすると、図１１の切り換え確認メッセージが表示され、切り換え確認後にデータ放送再生機器として設定された機器でデータ放送が再生される。したがって、使用者が意図しない機器を用いてデータ放送を再生することが防止される。
【０１０１】
本参考形態では、画面上での切り換え確認後に切り換え確認メッセージが消去されるが、リモコン１１０，２１０の任意の操作により切り換え確認メッセージが消去されてもよく、一定時間経過後に切り換え確認メッセージが消去されてもよい。また、データ放送切換部１２１，２２１は、データ放送再生機器が他の機器に設定されている場合に、画面上に切り換え確認メッセージが表示される代わりに、画面に何も表示しないように画像処理部１０３，２０３を制御してもよい。
【０１０２】
（５）第１の実施の形態
図１３は第１の実施の形態に係るテレビ受信機１００およびビデオ記録装置２００の構成を示すブロック図である。
【０１０３】
図１３のテレビ受信機１００が図２のテレビ受信機１００と異なるのは、データ放送再生不能化部１２０の代わりにデータ送受信部１２２が設けられている点である。データ送受信部１２２は、データ放送切換部１２１およびテレビ放送受信プログラムにより実現される。
【０１０４】
また、図１３のビデオ記録装置２００が図２のビデオ記録装置２００と異なるのは、データ放送再生不能化部２２０の代わりにデータ送受信部２２２が設けられている点である。データ放送切換部２２１は、ＣＰＵ２０４およびテレビ放送受信プログラムにより実現される。
【０１０５】
テレビ受信機１００のデータ送受信部１２２は、後述するデータ取得機器が他の機器に設定されている場合に、使用者からのデータ放送再生指示に応答して設定された機器からデータ放送関連データを取得する。ＮＶＲＡＭ１０８には、データ使用フラグが設定されている。データ使用フラグは、ＮＶＲＡＭ１０８がデータ放送の再生に使用されているときにオンに設定される。
【０１０６】
ビデオ記録装置２００，３００のデータ送受信部２２２の動作は、テレビ受信機１００のデータ送受信部１２２の動作と同様である。
【０１０７】
本実施の形態では、テレビ受信機１００、ビデオ記録装置２００およびビデオ記録装置３００がデータ送受信部１２２または２２２を備えるが、テレビ受信機１００、ビデオ記録装置２００およびビデオ記録装置３００のうち１つまたは２つがデータ送受信部１２２，２２２を備えてもよい。
【０１０８】
図１４は第１の実施の形態におけるデータ放送設定画面を示す図である。図１４のデータ放送設定画面は、使用者によるリモコン１１０，２１０の操作により表示部１１１に表示される。
【０１０９】
本実施の形態では、使用者は、リモコン１１０，２１０を操作することによりデータ放送設定画面においてデータ放送関連データを取得する機器をデータ取得機器としてとして設定することができる。
【０１１０】
ここで、図１に示すネットワーク５００に接続されるテレビ受信機１００、ビデオ記録装置２００およびビデオ記録装置３００には、それぞれ識別情報としてＩＰアドレスが割り当てられている。使用者がデータ取得機器を設定すると、設定された機器のＩＰアドレスがＮＶＲＡＭ１０８，２０８に記憶される。図１４の例では、データ取得機器としてテレビ受信機１００が設定されている。また、ＮＶＲＡＭ１０８，２０８は、データ使用フラグを記憶する。
【０１１１】
以下の説明では、使用者がビデオ記録装置２００のリモコン２１０を操作する場合を説明する。また、データ取得機器がテレビ受信機１００に設定されているものとする。
【０１１２】
図１５および図１６は第１の実施の形態におけるデータ送受信部２２２の動作を示すフローチャートである。
【０１１３】
リモコン２１０による操作を示す信号がリモコン受光部２０９を介してＣＰＵ２０４に入力される（ステップＳ４１）。ＣＰＵ２０４は、入力された信号に基づいてデータ放送ボタンが押下されたか否かを判定する（ステップＳ４２）。
【０１１４】
データ放送ボタンが押下された場合には、データ送受信部２２２は、ＮＶＲＡＭ２０８に記憶されているＩＰアドレスに基づいてデータ取得機器が他の機器に設定されているか否かを判定する（ステップＳ４３）。
【０１１５】
データ取得機器が他の機器に設定されている場合には、データ送受信部２２２は、通信部２０７を通して他の機器にデータ送信要求を送信する（ステップＳ４４）。本例では、データ送受信部２２２は、テレビ受信機１００にデータ送信要求を送信する。
【０１１６】
その後、データ送受信部２２２は、通信部２０７を通して他の機器からデータ使用フラグを受信する（ステップＳ４５）。本例では、データ送受信部２２２は、テレビ受信機１００からデータ使用フラグを受信する。
【０１１７】
さらに、データ送受信部２２２は、データ使用フラグがオンか否かを判定する（ステップＳ４６）。データ使用フラグがオフの場合には、データ送受信部２２２は、通信部２０７を通して他の機器からデータ放送関連データを受信する（ステップＳ４７）。本例では、データ送受信部２２２は、テレビ受信機１００のＮＶＲＡＭ１０８に記憶されているデータ放送関連データを受信する。
【０１１８】
データ送受信部２２２は、データ放送関連データの受信が成功したか否かを判定する（ステップＳ４８）。データ放送関連データの受信が成功した場合には、データ送受信部２２２は、受信したデータ放送関連データをＮＶＲＡＭ２０８に記憶し、チューナ２０２および画像処理部２０３にデータ放送の再生を指示する（ステップＳ４９）。それにより、チューナ２０２および画像処理部２０３がＮＶＲＡＭ２０８のデータ放送関連データに基づいてデータ放送を再生し、表示部１１１にデータ放送を表示する。この場合、ＮＶＲＡＭ２０８に記憶されるデータ放送関連データはデータ放送の再生に伴って更新される。
【０１１９】
その後、データ送受信部２２２は、データ放送の再生が終了したか否かを判定する（ステップＳ５１）。データ放送の再生が終了していない場合には、ステップＳ４９に戻る。
【０１２０】
データ放送の再生が終了した場合には、データ送受信部２２２は、通信部２０７を通して更新されたＮＶＲＡＭ２０８のデータ放送関連データを他の機器に送信する（ステップＳ５２）。本例では、データ送受信部２２２は、更新されたデータ放送関連データをテレビ受信機１００に送信する。
【０１２１】
ステップＳ４３においてデータ取得機器が当該機器（このビデオ記録装置２００）に設定されている場合には、データ送受信部２２２は、チューナ２０２および画像処理部２０３にデータ放送の再生を指示する（ステップＳ５０）。それにより、チューナ２０２および画像処理部２０３がデータ放送を再生し、表示部１１１にデータ放送を表示する。この場合には、データ放送の再生に伴ってＮＶＲＡＭ２０８のデータ放送関連データが更新される。
【０１２２】
ステップＳ４２においてデータ放送ボタンが押下されない場合またはステップＳ４６においてデータ使用フラグがオンの場合には、ステップＳ４１に戻る。
【０１２３】
図１３のテレビ受信機１００のデータ送受信部１２２の動作は、ビデオ記録装置２００のデータ送受信部２２２の動作と同様である。
【０１２４】
図１７は第１の実施の形態におけるテレビ受信機１００のデータ送受信部１２２の動作を示すフローチャートである。
【０１２５】
データ送受信部１２２は、通信部１０７を通して他の機器との通信を行い（ステップＳ６１）、他の機器からデータ送信要求を受信したか否かを判定する（ステップＳ６２）。本例では、データ送受信部１２２は、ビデオ記録装置２００からデータ送信要求を受信する。
【０１２６】
他の機器からデータ送信要求を受信した場合には、データ送受信部１２２は、通信部１０７を通してデータ使用フラグを他の機器に送信する（ステップＳ６３）。本例では、データ送受信部１２２は、ビデオ記録装置２００にデータ使用フラグを送信する。
【０１２７】
そして、データ使用フラグがオンであるか否かを判定する（ステップＳ６４）。データ使用フラグがオフの場合には、データ使用フラグをオンに設定する（ステップＳ６５）。
【０１２８】
次に、データ送受信部１２２は、通信部１０７を通してＮＶＲＡＭ１０８のデータ放送関連データを他の機器に送信する（ステップＳ６６）。本例では、データ送受信部１２２は、ビデオ記録装置２００にＮＶＲＡＭ１０８のデータ放送関連データを送信する。その後、データ送受信部１２２は、通信部１０７を通して他の機器から更新されたデータ放送関連データを受信するまで待機する（ステップＳ６７）。
【０１２９】
データ送受信部１２２は、通信部１０７を通して他の機器から更新されたデータ放送関連データを受信すると、受信したデータ放送関連データをＮＶＲＡＭ１０８に書き込む（ステップＳ６８）。本例では、データ送受信部１２２は、ビデオ記録装置２００から更新されたデータ放送を受信する。
【０１３０】
最後に、データ送受信部１２２は、データ使用フラグをオフに設定する（ステップＳ６９）。
【０１３１】
ステップＳ６２においてデータ送信要求を受信していない場合またはステップＳ６４においてデータ使用フラグがオンの場合には、ステップＳ６１に戻る。
【０１３２】
このように、使用者がデータ取得機器として設定された機器以外の機器でデータ放送を再生しようとすると、データ取得機器として設定された機器からデータ放送関連データが取得され、そのデータ放送関連データに基づいてデータ放送の再生が行われる。この場合、データ放送の再生とともにデータ放送関連データが更新され、データ放送の再生終了後に更新されたデータ放送関連データがデータ取得機器として設定された機器に送信される。それにより、常に、データ放送取得機器として設定された機器のデータ放送関連データを用いてデータ放送が再生される。したがって、使用者が意図しない機器を用いてデータ放送を再生することが防止される。
【０１３３】
（６）第２の実施の形態
次に、本発明の第２の実施の形態に係る機器について説明する。第２の実施の形態に係る機器が第１の実施の形態に係る機器と異なるのはデータ送受信部１２２，２２２の動作である。
【０１３４】
本実施の形態においては、テレビ受信機１００のＮＶＲＡＭ１０８，２０８の複数のメモリ領域の各々に使用者を割り当てることができる。同様に、テレビ受信機２００，３００のＮＶＲＡＭ２０８の複数のメモリ領域の各々に使用者を割り当てることができる。
【０１３５】
図１８は第２の実施の形態における使用者設定画面の一例を示す図である。使用者は、リモコン１１０の操作によりＮＶＲＡＭ１０８，２０８の複数のメモリ領域の各々に使用者を割り当てることができる。例えば、テレビ受信機１００のＮＶＲＡＭ１０８のメモリ領域“１”に使用者として「お父さん」が設定され、メモリ領域“２”に使用者として「お母さん」が割り当てられている。ＮＶＲＡＭ１０８の複数のメモリ領域に割り当てられた使用者の情報は、メモリ領域情報としてＮＶＲＡＭ１０８に記憶される。
【０１３６】
ＮＶＲＡＭ１０８の複数のメモリ領域には、それぞれデータ使用フラグが設定されている。各データ使用フラグは、対応するメモリ領域がデータ放送の再生に使用されているときにオンに設定される。
【０１３７】
同様に、リモコン２１０の操作によりビデオ記録装置２００，３００のデータ送受信部２２２のＮＶＲＡＭ２０８の複数のメモリ領域の各々に使用者を割り当てることができる。複数のメモリ領域に割り当てられた使用者の情報は、メモリ領域情報としてＮＶＲＡＭ２０８に記憶される。さらに、ＮＶＲＡＭ２０８の複数のメモリ領域の各々にはデータ使用フラグが設定されている。
【０１３８】
図１９および図２０は第２の実施の形態におけるデータ送受信部２２２の動作を示すフローチャートである。
【０１３９】
リモコン２１０による操作を示す信号がリモコン受光部２０９を介してＣＰＵ２０４に入力される（ステップＳ７１）。ＣＰＵ２０４は、入力された信号に基づいてデータ放送ボタンが押下されたか否かを判定する（ステップＳ７２）。
【０１４０】
データ放送ボタンが押下された場合には、データ送受信部２２２は、通信部１０７を通して他の機器にメモリ領域情報要求を送信する（ステップＳ７３）。
【０１４１】
次いで、データ送受信部２２２は、通信部２０７を通して他の機器からメモリ領域情報を受信する（ステップＳ７４）。さらに、データ送受信部２２２は、次の機器があるか否かを判定し（ステップＳ７５）、すべての他の機器についてステップＳ７３，Ｓ７４を繰り返す。
【０１４２】
その後、データ送受信部２２２は、複数のメモリ領域が検出されたか否かを判定する（ステップＳ７６）。複数のメモリ領域が検出された場合には、データ送受信部２２２は、テレビ受信機１００の表示部１１１にメモリ領域一覧を表示させる（ステップＳ７７）。
【０１４３】
図２２はメモリ領域一覧の一例を示す図である。図２２の例では、テレビ受信機１００のＮＶＲＡＭ１０８のメモリ領域“１”およびビデオ記録装置２００のＮＶＲＡＭ２０８のメモリ領域“１”に「お父さん」が割り当てられ、テレビ受信機１００のＮＶＲＡＭ１０８のメモリ領域“２”およびビデオ記録装置２００のＮＶＲＡＭ２０８のメモリ領域“２”に「お母さん」が割り当てられている。
【０１４４】
使用者は、リモコン２１０の操作により表示部１１１に表示されたメモリ領域一覧においてデータ放送の再生に使用するメモリ領域を選択することができる。
【０１４５】
次に、データ送受信部２２２は、メモリ領域一覧のメモリ領域が選択されたか否かを判定する（ステップＳ７８）。メモリ領域が選択された場合には、データ送受信部２２２は、選択されたメモリ領域が他の機器にあるか否かを判定する（ステップＳ７９）。
【０１４６】
選択されたメモリ領域が他の機器にある場合には、データ送受信部２２２は、通信部２０７を通して他の機器へ選択されたメモリ領域のデータ送信要求を送信する（ステップＳ８０）。さらに、データ送受信部２２２は、通信部２０７を通して選択されたメモリ領域に対応するデータ使用フラグを受信する（ステップＳ８１）。
【０１４７】
次いで、データ送受信部２２２は、受信したデータ使用フラグがオンであるか否かを判定する（ステップＳ８２）。データ使用フラグがオフの場合には、データ送受信部２２２は、通信部２０７を通して他の機器から選択されたメモリ領域のデータ放送関連データを受信する（ステップＳ８３）。
【０１４８】
データ送受信部２２２は、データ放送関連データの受信が成功したか否かを判定する（ステップＳ８４）。データ放送関連データの受信が成功した場合には、データ送受信部２２２は、他の機器から受信したデータ放送関連データをＮＶＲＡＭ２０８に記憶し、チューナ２０２および画像処理部２０３にデータ放送の再生を指示する（ステップＳ８５）。それにより、チューナ２０２および画像処理部２０３は、ＮＶＲＡＭ２０８に記憶されたデータ放送関連データに基づいてデータ放送を再生し、表示部１１１にデータ放送を表示する。この場合、ＲＡＭ２０６に記憶されるデータ放送関連データはデータ放送の再生に伴って更新される。
【０１４９】
その後、データ送受信部２２２は、データ放送の再生が終了したか否かを判定する（ステップＳ８６）。データ放送の再生が終了していない場合には、ステップＳ８５に戻る。
【０１５０】
データ放送の再生が終了した場合には、データ送受信部２２２は、通信部２０７を通して他の機器に更新されたデータ放送関連データを送信する（ステップＳ８７）。
【０１５１】
ステップＳ７９において選択されたメモリ領域が当該機器（このビデオ記録装置２００）にある場合には、データ送受信部２２２はチューナ２０２および画像処理部２０３にデータ放送の再生を指示する（ステップＳ８８）。それにより、チューナ２０２および画像処理部２０３は、ＮＶＲＡＭ２０８のデータ放送関連データに基づいてデータ放送を再生し、表示部１１１にデータ放送を表示する。この場合には、データ放送の再生に伴ってＮＶＲＡＭ２０８のデータ放送関連データが更新される。
【０１５２】
ステップＳ７２においてデータ放送ボタンが押下されない場合またはステップＳ８４においてデータ放送関連データの受信が成功しなかった場合には、ステップＳ７１に戻る。
【０１５３】
図１３のテレビ受信機１００のデータ送受信部１２２の動作は、ビデオ記録装置２００のデータ送受信部２２２の動作と同様である。
【０１５４】
図２３は第２の実施の形態におけるテレビ受信機１００のデータ送受信部１２２の動作を示すフローチャートである。
【０１５５】
データ送受信部１２２は、通信部１０７を通して他の機器との通信を行い（ステップＳ９１）、他の機器からメモリ領域情報送信要求を受信したか否かを判定する（ステップＳ９２）。
【０１５６】
他の機器からメモリ領域情報送信要求を受信した場合には、データ送受信部１２２は、通信部１０７を通してメモリ領域情報を他の機器に送信する（ステップＳ９３）。
【０１５７】
次に、データ送受信部１２２は、他の機器からデータ送信要求を受信したか否かを判定する（ステップＳ９４）。
【０１５８】
他の機器からデータ送信要求を受信した場合には、データ送受信部１２２は、通信部１０７を通して選択されたデータ使用フラグを他の機器に送信する（ステップＳ９５）。本例では、データ送受信部１２２は、ビデオ記録装置２００にデータ使用フラグを送信する。
【０１５９】
そして、データ使用フラグがオンであるか否かを判定する（ステップＳ９６）。データ使用フラグがオフの場合には、データ使用フラグをオンに設定する（ステップＳ９７）。
【０１６０】
次に、データ送受信部１２２は、通信部１０７を通してＮＶＲＡＭ２０８の選択されたメモリ領域のデータ放送関連データを他の機器に送信する（ステップＳ９８）。本例では、データ送受信部１２２は、ビデオ記録装置２００にＮＶＲＡＭ２０８の選択されたメモリ領域のデータ放送関連データを送信する。その後、データ送受信部１２２は、通信部１０７を通して他の機器から更新されたデータ放送関連データを受信するまで待機する（ステップＳ９９）。
【０１６１】
データ送受信部１２２は、通信部１０７を通して他の機器から更新されたデータ放送関連データを受信すると、受信したデータ放送関連データをＮＶＲＡＭ１０８の選択されたメモリ領域に書き込む（ステップＳ１００）。本例では、データ送受信部１２２は、ビデオ記録装置２００から更新されたデータ放送を受信する。最後に、データ送受信部１２２は、選択されたメモリ領域のデータ使用フラグをオフに設定する（ステップＳ１０１）。
【０１６２】
ステップＳ９２においてメモリ情報送信要求を受信していない場合にはステップＳ９１に戻る。また、ステップＳ９６においてデータ使用フラグがオンの場合にはステップＳ９４に戻る。
【０１６３】
図２５は第２の実施の形態におけるデータ放送の再生動作の概略の流れを示すシーケンス図である。図２５の例では、使用者がテレビ受信機１００のリモコン１１０を操作することによりデータ放送の再生を指示した場合を説明する。ここでは、テレビ受信機１００およびビデオ記録装置２００の動作のみを示す。
【０１６４】
まず、テレビ受信機１００は、ビデオ記録装置２００にメモリ領域情報送信要求を送信する。それにより、ビデオ記録装置２００は、テレビ受信機１００にメモリ領域情報を送信する。テレビ受信機１００は受信したメモリ領域情報をＲＡＭ１０６に書き込み、メモリ領域一覧を表示部１１１に表示する。
【０１６５】
その後、テレビ受信機１００は、ビデオ記録装置２００に選択されたメモリ領域のデータ放送関連データの送信を要求するデータ送信要求を送信する。それにより、ビデオ記録装置２００は、選択されたメモリ領域のデータ放送関連データをＮＶＲＡＭ２０８から読み出し、テレビ受信機１００に送信する。また、ビデオ記録装置２００は、選択されたメモリ領域に対応するデータ使用フラグをオンにする。それにより、他の機器がメモリ領域のデータ放送関連データを使用することが防止される。
【０１６６】
テレビ受信機１００は、受信したデータ放送関連データをＮＶＲＡＭ１０８に書き込む。テレビ受信機１００は、ＮＶＲＡＭ１０８に書き込まれたデータ放送関連データを用いてデータ放送を再生する。それにより、ＮＶＲＡＭ１０８のデータ放送関連データが更新される。
【０１６７】
データ放送の再生の終了後、テレビ受信機１００は、更新されたデータ放送関連データをビデオ記録装置２００に送信する。それにより、ビデオ記録装置２００は、受信したデータ放送関連データをＮＶＲＡＭ２０８の選択されたメモリ領域に書き込む。また、ビデオ記録装置２００は、そのメモリ領域に対応するデータ使用フラグをオフに設定する。
【０１６８】
このように、使用者がデータ放送の再生を指示した場合に、図２２のメモリ領域一覧が表示され、メモリ領域の選択後に、選択したデータ放送取得機器のメモリ領域のデータ放送関連データを用いてデータ放送が再生される。したがって、使用者が意図しない機器を用いてデータ放送を再生することが防止される。
【０１６９】
なお、複数の機器のＮＶＲＡＭ１０８，２０８のメモリ領域と使用者との関係が一意に決まっている場合には、図２２のメモリ領域一覧を表示しなくてもよい。この場合、現在の機器の使用者を認識するために、機器の起動時に機器の使用者を特定するために使用者特定メッセージを表示部１１１に表示する。
【０１７０】
図２６は第２の実施の形態における使用者特定メッセージの一例を示す図である。
【０１７１】
図２６の例では、テレビ受信機１００の起動時にリモコン１１０の操作により予め登録された使用者から現在の使用者を特定することができる。使用者特定メッセージにより特定された使用者がデータ放送の再生を指示した場合、その使用者に対応する機器のメモリ領域が自動的に選択され、データ放送の再生にそのメモリ領域のデータ放送関連データが使用される。
【０１７２】
（７）請求項の各構成要素と実施の形態の各部との対応
上記実施の形態では、チューナ１０２，２０２が受信部に相当し、チューナ１０２，２０２、チューナ１０２，２０２および画像処理部１０３，２０３が再生部に相当し、ＮＶＲＡＭ１０８，２０８が記憶部に相当する。
【０１７３】
また、リモコン１１０，２１０が設定部、指示部および選択部に相当し、データ送受信部１２２，２０４、データ放送再生不能化部１２０，２２０、データ放送切換部１２１，２２１またはデータ送受信部１２２，２２２が制御部に相当し、表示部１１１が通知部、確認部、提示部または表示部に相当する。
【０１７４】
さらに、メモリ領域が記憶領域に相当し、データ放送に関するデータがデータ放送関連データに相当する。
【０１７５】
（８）他の実施の形態
受信部としてチューナ１０２，２０２の代わりに外部チューナ等の他の受信回路を用いてもよい。
【０１７６】
再生部としてチューナ１０２，２０２および画像処理部１０３，２０３の代わりに外部チューナ等の他の再生回路を用いてもよい。
【０１７７】
記憶部としてＮＶＲＡＭ１０８，２０８の代わりにハードディスク、フレキシブルディスク、コンパクトディスク、光磁気ディスク、メモリカード、他の半導体メモリ等の他の記録媒体を用いてもよい。
【０１７８】
設定部、指示部および選択部としてリモコン１１０，２１０の代わりにテレビ受信機１００、ビデオ記録装置２００，３００に設けられた種々のスイッチ、マウス、キーボード等の他の入力装置を用いてもよい。
【０１７９】
上記実施の形態では、データ放送再生不能化部１２０，２２０、データ放送切換部１２１，２２１およびデータ送受信部１２２，２２２データ送受信部１２２，２０４がデータ送受信部１２２，２０４およびテレビ放送受信プログラムにより実現されるが、制御部が他の論理回路等の電子回路により実現されていもよい。
【０１８０】
通知部、確認部、提示部または表示部としては、ＣＲＴ（陰極線管）、液晶表示パネル、プラズマディスプレイパネル等の種々の表示装置を用いることができる。また、通知部、確認部または提示部として音声出力装置等を用いてもよい。
【０１８１】
なお、上記実施の形態では、テレビ放送受信装置としてテレビ受信機１００およびビデオ記録装置２００，３００が用いられているが、デジタル放送受信機能を有する種々のテレビ放送受信装置を用いることができる。
【０１８２】
また、複数のテレビ放送受信装置は、通信回線により接続されるので、同じ場所に設置されてもよく、別の部屋に設置されてもよく、あるいは、互いに遠隔地に設置されてもよい。あるいは、複数のテレビ放送受信装置の少なくとも１つが移動体に設置されてもよい。
【０１８３】
複数のテレビ放送受信装置間の通信には、イーサネット（登録商標）を用いてもよく、赤外線を用いてもよく、またはシリアルケーブルを用いてもよい。複数のテレビ放送受信装置間で何らかのデータ通信が可能であれば、種々の通信方法を用いることができる。
【０１８４】
上記実施の形態では、テレビ放送受信プログラムを記録する記録媒体としてＲＯＭ１０５，２０５が用いられているが、これに限定されず、記録媒体として他の半導体メモリを用いてもよい。
【０１８５】
さらに、テレビ放送受信装置は、記録媒体に記録されるテレビ放送受信プログラムをＣＰＵ１０４，２０４がアクセスして実行する構成を有してもよい。あるいは、テレビ放送受信装置は、記録媒体からテレビ放送受信プログラムを読み出し、読み出したテレビ放送受信プログラムを図示されていないプログラム記憶エリアにダウンロードし、そのテレビ放送受信プログラムを実行してもよい。この場合、ダウンロード用のプログラムが予めテレビ放送受信装置に格納される。
【０１８６】
ここで、記録媒体は、テレビ放送受信装置と分離可能に構成される記録媒体であってもよく、磁気テープ、カセットテープ等のテープ系、フレキシブルディスク、ハードディスク等の磁気ディスク、ＣＤ（コンパクトディスク）―ＲＯＭ／ＭＯ（光磁気ディスク）、ＭＤ（ミニディスク）、ＤＶＤ（デジタルバーサタイルディスク）等の光ディスク系、ＩＣ（集積回路）カード、メモリカード、光カード等のカード系、またはマスクＲＯＭ、ＥＰＲＯＭ（Erasable Programmable Read Only Memory）、ＥＥＰＲＯＭ（Electrically Erasable and Programmable Read Only Memory）、フラッシュＲＯＭ等の半導体メモリ等
の固定的にプログラムを保持する媒体であってもよい。
【０１８７】
また、外部記憶装置としてプロラム読み取り装置を設け、その読み取り装置に、記録媒体としてフレキシブルディスク、コンパクトディスク、光磁気ディスク、メモリカード等の記録媒体を挿入してもよい。
【０１８８】
また、本発明に係るテレビ放送受信装置は、インターネット等の通信ネットワークに接続することによりシステムを構成することができるので、通信ネットワークからテレビ放送受信プログラムをダウンロードするように流動的にテレビ放送受信プログラムを保持する記録媒体を用いてもよい。
【０１８９】
なお、このように通信ネットワークからテレビ放送受信プログラムをダウンロードする場合には、そのダウンロード用プログラムは予めテレビ放送受信装置に格納しておくか、または別の記録媒体からインストールされるものであってもよい。なお、記録媒体には、テレビ放送受信プログラムだけでなく、データも記録されてもよい。
【産業上の利用可能性】
【０１９０】
本発明は、テレビ放送、データ放送の受信および再生等に利用することができる。
【図面の簡単な説明】
【０１９１】
【図１】図１は本発明の実施の形態に係るテレビ放送受信装置を用いたシステムの構成を示すブロック図
【図２】図２は第１の参考形態に係るテレビ受信機１００およびビデオ記録装置２００の構成を示すブロック図
【図３】図３はデータ放送設定画面を示す図
【図４】図４は図２のデータ放送再生不能化部１２０の動作を示すフローチャート
【図５】図５は不能化フラグがオンに設定されている場合に表示部１１１に表示されるメッセージの一例を示す図
【図６】図６はデータ放送再生不能化部１２０の動作を示すフローチャート
【図７】図７は使用者がデータ放送の再生を指示した場合に表示部１１１に表示されるメッセージの一例を示す図
【図８】図８は第３の参考形態に係るテレビ受信機１００およびビデオ記録装置２００の構成を示すブロック図
【図９】図９はデータ放送設定画面を示す図
【図１０】図１０は図８のデータ放送切換部２２１の動作を示すフローチャート
【図１１】図１１は切り換え確認メッセージの一例を示す図
【図１２】図１２は図８のテレビ受信機１００のＣＰＵ１０４の動作を示すフローチャート
【図１３】図１３は第１の実施の形態に係るテレビ受信機１００およびビデオ記録装置２００の構成を示すブロック図
【図１４】図１４はデータ放送設定画面を示す図
【図１５】図１５は図１３のデータ送受信部２２２の動作を示すフローチャート
【図１６】図１６は図１３のデータ送受信部２２２の動作を示すフローチャート
【図１７】図１７は図１３のテレビ受信機１００のＣＰＵ１０４の動作を示すフローチャート
【図１８】図１８は使用者設定画面の一例を示す図
【図１９】図１９は本実施の形態におけるデータ送受信部２２２の動作を示すフローチャート
【図２０】図２０は本実施の形態におけるデータ送受信部２２２の動作を示すフローチャート
【図２１】図２１はメモリ領域一覧の一例を示す図
【図２２】図２２は第２の実施の形態におけるテレビ受信機１００のＣＰＵ１０４の動作を示すフローチャート
【図２３】図２３は第２の実施の形態におけるテレビ受信機１００のデータ送受信部１２２の動作を示すフローチャート
【図２４】図２４は第２の実施の形態におけるデータ放送の再生動作の概略の流れを示すシーケンス図
【図２５】図２５はテレビ受信機１００の表示部１１１に表示される使用者特定メッセージの一例を示す図
【図２６】図２６は第２の実施の形態における使用者特定メッセージの一例を示す図
【図１】
0004455502.tif 000002
【図２】
0004455502.tif 000003
【図３】
0004455502.tif 000004
【図４】
0004455502.tif 000005
【図５】
0004455502.tif 000006
【図６】
0004455502.tif 000007
【図７】
0004455502.tif 000008
【図８】
0004455502.tif 000009
【図９】
0004455502.tif 000010
【図１０】
0004455502.tif 000011
【図１１】
0004455502.tif 000012
【図１２】
0004455502.tif 000013
【図１３】
0004455502.tif 000014
【図１４】
0004455502.tif 000015
【図１５】
0004455502.tif 000016
【図１６】
0004455502.tif 000017
【図１７】
0004455502.tif 000018
【図１８】
0004455502.tif 000019
【図１９】
0004455502.tif 000020
【図２０】
0004455502.tif 000021
【図２１】
0004455502.tif 000022
【図２２】
0004455502.tif 000023
【図２３】
0004455502.tif 000024
【図２４】
0004455502.tif 000025
【図２５】
0004455502.tif 000026
【図２６】
0004455502.tif 000027